(57)【要約】      （修正有）【課題】クリエイターが上映施設の空いている編成枠にコンテンツを上映させ、ユーザの視聴に対して課金してクリエイターに還元する編成枠管理装置、システム、方法及びプログラムを提供する。【解決手段】編成枠管理装置１００は、映像保有者による映像コンテンツのデータのアップロードを受け付けるコンテンツ受付部１３１と、映像保有者が支払う利用料の課金情報を生成する提供課金情報生成部１３２と、編成枠に基づき映像コンテンツのデータを送信する映像出力部１３３と、上映施設に来館したユーザが映像コンテンツを視聴しているときの視聴状態情報を取得する視聴状態取得部１３４と、映像コンテンツを視聴したユーザに対する視聴料金の課金情報を生成する視聴課金情報生成部１３５と、映像コンテンツのデータをアップロードした映像保有者への報酬情報を生成する報酬情報生成部１３６と、を備える。【選択図】図２
2020080060.tif 000002
【特許請求の範囲】
【請求項１】
映像コンテンツを一以上の映像出力装置に出力するための編成枠を管理する編成枠管理装置であって、
前記映像コンテンツの映像情報のアップロードを、前記映像コンテンツを出力する時間を指定する時間情報、及び出力する前記映像出力装置を指定する出力指定情報と共に受け付けるコンテンツ受付部と、
前記時間情報及び前記出力指定情報を前記編成枠として記憶する編成枠記憶部と、
前記編成枠に基づき、前記映像コンテンツを前記映像出力装置へ出力させる映像出力部と、
前記映像出力装置が出力する、前記映像コンテンツを視聴するユーザの視聴状態を示す視聴状態情報を取得する視聴状態取得部と、
前記視聴状態情報に基づき、前記映像コンテンツをアップロードした映像保有者に対する報酬情報を生成する報酬情報生成部と、を備える編成枠管理装置。
【請求項２】
前記視聴状態情報は、前記映像コンテンツを視聴したユーザ数及び前記ユーザの視聴時間情報を含む、請求項１に記載の編成枠管理装置。
【請求項３】
前記視聴状態取得部は、複数の前記ユーザが前記映像コンテンツを視聴しているときの前記視聴状態情報をそれぞれ取得する、請求項１または請求項２に記載の編成枠管理装置。
【請求項４】
前記ユーザは、前記映像コンテンツを視聴するとき、ワイヤレスヘッドホンを装着して前記映像コンテンツの音声を聴衆しながら前記映像コンテンツを視聴し、
前記ワイヤレスヘッドホンは、前記ユーザの前記視聴状態情報を検出し、
前記視聴状態取得部は、前記ワイヤレスヘッドホンが検出した前記視聴状態情報を取得する、請求項１から請求項３のいずれか１項に記載の編成枠管理装置。
【請求項５】
前記ワイヤレスヘッドホンは、音声信号受信用電源がオン状態である時間と、前記映像コンテンツの音声情報が入力された時間とを前記視聴状態情報として検出し、
前記視聴状態取得部は、前記ワイヤレスヘッドホンの音声信号受信用電源がオン状態である時間と、前記映像コンテンツの音声情報が入力された時間とを前記視聴状態情報として取得する、請求項４に記載の編成枠管理装置。
【請求項６】
前記ワイヤレスヘッドホンには、前記ユーザが装着していることを検知するセンサ部が設けられ、
前記センサ部は、前記ユーザが装着した時間を前記視聴状態情報として検出し、
前記視聴状態取得部は、前記センサ部が検出した、前記ユーザが前記ワイヤレスヘッドホンを装着した時間を前記視聴状態情報として取得する、請求項４または請求項５に記載の編成枠管理装置。
【請求項７】
前記映像コンテンツを視聴する施設には、前記映像出力装置が複数設置され、複数種類の前記映像コンテンツが視聴可能であり、
前記ワイヤレスヘッドホンには、複数種類の前記映像コンテンツのうちの１つを選択可能なスイッチが設けられ、前記ワイヤレスヘッドホンを装着して前記ユーザが選択した前記映像コンテンツを視聴する、請求項４から請求項６のいずれか１項に記載の編成枠管理装置。
【請求項８】
前記映像コンテンツを視聴する施設には、前記ユーザが前記映像コンテンツを視聴しているときに着席していることを検出する人感センサが設けられ、
前記人感センサは、前記ユーザが着席した時間を前記視聴状態情報として検出し、
前記視聴状態取得部は、前記人感センサが検出した、前記ユーザが着席した時間を前記視聴状態情報として取得する、請求項１から請求項７のいずれか１項に記載の編成枠管理装置。
【請求項９】
前記ユーザによる前記映像コンテンツの視聴に対する、視聴課金情報を生成する視聴課金情報生成部を備える、請求項１から請求項８のいずれか１項に記載の編成枠管理装置。
【請求項１０】
前記視聴課金情報生成部は、前記視聴状態情報に基づいて前記ユーザに対する視聴課金情報を生成し、
前記報酬情報生成部は、前記視聴状態情報に基づき、前記映像保有者と、前記映像出力装置を管理する施設管理者とに対する報酬情報を生成して前記視聴課金情報を分配する、請求項９に記載の編成枠管理装置。
【請求項１１】
前記編成枠に基づき、前記映像保有者に対する提供課金情報を生成する提供課金情報生成部を備える、請求項１から請求項１０のいずれか１項に記載の編成枠管理装置。
【請求項１２】
前記コンテンツ受付部は、前記映像コンテンツを出力する前記映像出力装置が設置されている地域、施設、または前記映像出力装置ごとに出力する前記映像出力装置を指定可能であり、
前記編成枠記憶部は、前記映像出力装置が設置されている地域、施設、または前記映像出力装置ごとに前記編成枠として記憶する、請求項１から請求項１１のいずれか１項に記載の編成枠管理装置。
【請求項１３】
前記映像出力部は、前記映像コンテンツの前記映像情報をストリーミング形式またはファイル転送形式で送信することにより、前記映像コンテンツを前記映像出力装置へ出力させる、請求項１から請求項１２のいずれか１項に記載の編成枠管理装置。
【請求項１４】
映像コンテンツを出力する映像出力装置と、前記映像コンテンツを一以上の前記映像出力装置に出力するための編成枠を管理する編成枠管理装置と、前記映像コンテンツの音声を聴衆するためのワイヤレスヘッドホンと、を備える編成枠管理システムであって、
前記編成枠管理装置は、
前記映像コンテンツの映像情報のアップロードを、前記映像コンテンツを出力する時間を指定する時間情報、及び出力する前記映像出力装置を指定する出力指定情報と共に受け付けるコンテンツ受付部と、
前記時間情報及び前記出力指定情報を前記編成枠として記憶する編成枠記憶部と、
前記編成枠に基づき、前記映像コンテンツを前記映像出力装置へ出力させる映像出力部と、
前記映像出力装置が出力する前記映像コンテンツを視聴するユーザの視聴状態を示す視聴状態情報を取得する視聴状態取得部と、
前記視聴状態情報に基づき、前記映像コンテンツをアップロードした映像保有者に対する報酬情報を生成する報酬情報生成部と、を備え、
前記ワイヤレスヘッドホンは、
前記ユーザの前記視聴状態情報を検出する検出部を備える、編成枠管理システム。
【請求項１５】
映像コンテンツを一以上の映像出力装置に出力するための編成枠を管理する編成枠管理方法であって、
コンテンツ受付部が行う、前記映像コンテンツの映像情報のアップロードを、前記映像コンテンツを出力する時間を指定する時間情報、及び出力する前記映像出力装置を指定する出力指定情報と共に受け付け、前記時間情報及び前記出力指定情報を前記編成枠として記憶させるコンテンツ受付ステップと、
映像出力部が行う、前記編成枠に基づき、前記映像コンテンツを前記映像出力装置へ出力させる映像出力ステップと、
視聴状態取得部が行う、前記映像出力装置が出力する、前記映像コンテンツを視聴するユーザの視聴状態を示す視聴状態情報を取得する視聴状態取得ステップと、
報酬情報生成部が行う、前記視聴状態情報に基づき、前記映像コンテンツをアップロードした映像保有者に対する報酬情報を生成する報酬情報生成ステップと、を備える編成枠管理方法。
【請求項１６】
映像コンテンツを一以上の映像出力装置に出力するための編成枠を管理する編成枠管理プログラムであって、
前記映像コンテンツの映像情報のアップロードを、前記映像コンテンツを出力する時間を指定する時間情報、及び出力する前記映像出力装置を指定する出力指定情報と共に受け付け、前記時間情報及び前記出力指定情報を前記編成枠として記憶させるコンテンツ受付ステップと、
前記編成枠に基づき、前記映像コンテンツを前記映像出力装置へ出力させる映像出力ステップと、
前記映像出力装置が出力する、前記映像コンテンツを視聴するユーザの視聴状態を示す視聴状態情報を取得する視聴状態取得ステップと、
前記視聴状態情報に基づき、前記映像コンテンツをアップロードした映像保有者に対する報酬情報を生成する報酬情報生成ステップと、を電子計算機に実行させるための、編成枠管理プログラム。
【発明の詳細な説明】
【技術分野】
【０００１】
本開示は、ＡＶ（Audio-Visual）システムに関し、特に、映像と音声とからなる映像コンテンツを映像出力装置に出力するための編成枠を管理する編成枠管理装置、編成枠管理システム、編成枠管理方法及び編成枠管理プログラムに関する。
【背景技術】
【０００２】
近年、映像コンテンツのデジタル化が進み、映画においてもフィルムを用いずに、映像配信元サーバから受信したデジタル化されたＨＤＴＶ程度の解像度の映像を用い、比較的大きな画面で映画を上映することが一般的となっている。また、映画上映施設として近年一般化したシネマコンプレックスは、１つの建物内に複数のスクリーンを有する複合型映画館であり、映画館だけでなく、レストランやカフェ等の他の施設も併設している場合もあり、複数スクリーンでの異なる作品の同時上映や人気映画の複数同時上映も可能となっている。
【０００３】
しかしながら、シネマコンプレックスといえども、上映する作品及び上映時間は予め決められており、個人がいつでも好きなときに好きな作品を見ることはできない。例えば、シネマコンプレックスに子供を連れて来場した場合、館内で子供が泣いたりすると周囲の客に迷惑になるため、いったん上映されている場所を離れる必要があり、その間の視聴は困難である。これに対して、特許文献１には、個人や仲間だけで周囲に気兼ねなく映画を鑑賞する手段として、プライベート用途向けのシアター・システムが開示されている。特許文献１記載のシアター・システムでは、コンテンツ・サーバに蓄積された映像コンテンツの配信を受け、カラオケ施設や自宅内にシアター機能を実現している。
【０００４】
また、特許文献２には、そのようなシアター・システムに映像配信する際に、配信する映画の種類や配信先となる上映場所の数を顧客からの予約やリクエストの状況に応じて映像配信元で設定し、配信するための技術が開示されている。特許文献２に記載の映像配信システムでは、従来は複数の上映館で個別に行っていた作業である映写配信機器設定、スケジュール上映、上映状況確認などをセンター設備側で集約して自動実行するようにしている。すなわち、センター設備において、顧客の予約やリクエストを複数の上映場所から集約した結果に応じて、上記のような作業を一括してセンター設備で実行している。
【先行技術文献】
【特許文献】
【０００５】
【特許文献１】特開２００５−１４２６３６号公報
【特許文献２】特開２００２−３０４４９０号公報
【発明の概要】
【発明が解決しようとする課題】
【０００６】
ところで、映像コンテンツの視聴に対して課金する手段としては、従来は映画館やシネマコンプレックスのような施設で上映する必要があった。このような施設を開設するには広大なスペースが必要であり、そのための不動産投資費用も膨大になってしまう。これに対して、レストランやカフェスペース、ショッピングセンターの空きスペースやコンビニエンスストアのイートインコーナー等、公共の場所で映像コンテンツを気軽に視聴可能であり、その視聴に対して確実に課金することが可能なシステムが望まれていた。しかしながら、特許文献１及び２に記載されたシステムは、映像コンテンツの視聴に対する課金は出来ないものである。また、従来の上映施設においては、映画製作会社が作成したコンテンツを調達して上映するのが通常であり、一般のクリエイターが作成したコンテンツを上映できる機会は限られていた。
【０００７】
そこで、本開示では、クリエイターが上映施設において、空いている編成枠に自己のコンテンツを上映することを可能とし、ユーザが公共の場所で映像コンテンツを気軽に視聴可能であり、その視聴に対して課金し、クリエイターと上映施設の管理者との間で分配をすることが可能な編成枠管理装置、編成枠管理システム、編成枠管理方法及び編成枠管理プログラムについて説明する。
【課題を解決するための手段】
【０００８】
本開示の一態様における編成枠管理装置は、映像コンテンツを一以上の映像出力装置に出力するための編成枠を管理する編成枠管理装置であって、映像コンテンツの映像情報のアップロードを、映像コンテンツを出力する時間を指定する時間情報、及び出力する映像出力装置を指定する出力指定情報と共に受け付けるコンテンツ受付部と、時間情報及び出力指定情報を編成枠として記憶する編成枠記憶部と、編成枠に基づき、映像コンテンツを映像出力装置へ出力させる映像出力部と、映像出力装置が出力する、映像コンテンツを視聴するユーザの視聴状態を示す視聴状態情報を取得する視聴状態取得部と、視聴状態情報に基づき、映像コンテンツをアップロードした映像保有者に対する報酬情報を生成する報酬情報生成部と、を備える。
【０００９】
本開示の一態様における編成枠管理システムは、映像コンテンツを出力する映像出力装置と、映像コンテンツを一以上の映像出力装置に出力するための編成枠を管理する編成枠管理装置と、映像コンテンツの音声を聴衆するためのワイヤレスヘッドホンと、を備える編成枠管理システムであって、編成枠管理装置は、映像コンテンツの映像情報のアップロードを、映像コンテンツを出力する時間を指定する時間情報、及び出力する映像出力装置を指定する出力指定情報と共に受け付けるコンテンツ受付部と、時間情報及び出力指定情報を編成枠として記憶する編成枠記憶部と、編成枠に基づき、映像コンテンツを映像出力装置へ出力させる映像出力部と、映像出力装置が出力する映像コンテンツを視聴するユーザの視聴状態を示す視聴状態情報を取得する視聴状態取得部と、視聴状態情報に基づき、映像コンテンツをアップロードした映像保有者に対する報酬情報を生成する報酬情報生成部と、を備え、ワイヤレスヘッドホンは、ユーザの視聴状態情報を検出する検出部を備える。
【００１０】
本開示の一態様における編成枠管理方法は、映像コンテンツを一以上の映像出力装置に出力するための編成枠を管理する編成枠管理方法であって、コンテンツ受付部が行う、映像コンテンツの映像情報のアップロードを、映像コンテンツを出力する時間を指定する時間情報、及び出力する映像出力装置を指定する出力指定情報と共に受け付け、時間情報及び出力指定情報を編成枠として記憶させるコンテンツ受付ステップと、映像出力部が行う、編成枠に基づき、映像コンテンツを映像出力装置へ出力させる映像出力ステップと、視聴状態取得部が行う、映像出力装置が出力する、映像コンテンツを視聴するユーザの視聴状態を示す視聴状態情報を取得する視聴状態取得ステップと、報酬情報生成部が行う、視聴状態情報に基づき、映像コンテンツをアップロードした映像保有者に対する報酬情報を生成する報酬情報生成ステップと、を備える。
【００１１】
また、本開示の一態様における編成枠管理プログラムは、映像コンテンツを一以上の映像出力装置に出力するための編成枠を管理する編成枠管理プログラムであって、映像コンテンツの映像情報のアップロードを、映像コンテンツを出力する時間を指定する時間情報、及び出力する映像出力装置を指定する出力指定情報と共に受け付け、時間情報及び出力指定情報を編成枠として記憶させるコンテンツ受付ステップと、編成枠に基づき、映像コンテンツを映像出力装置へ出力させる映像出力ステップと、映像出力装置が出力する、映像コンテンツを視聴するユーザの視聴状態を示す視聴状態情報を取得する視聴状態取得ステップと、視聴状態情報に基づき、映像コンテンツをアップロードした映像保有者に対する報酬情報を生成する報酬情報生成ステップと、を電子計算機に実行させる。
【発明の効果】
【００１２】
本開示によれば、編成枠に基づいて映像コンテンツを映像出力装置へ出力させるので、クリエイターが上映施設において、空いている編成枠に自己のコンテンツを上映することが可能であり、また、既存の公共の施設に大型ディスプレイ等の映像出力装置を設置するだけで、映像コンテンツを気軽に視聴可能な施設を提供することが可能である。さらに、その映像コンテンツを視聴するユーザの視聴状態を取得するため、映像コンテンツを視聴するユーザに対して課金し、クリエイターと上映施設の管理者との間で分配をすることが可能である。
【図面の簡単な説明】
【００１３】
【図１】本開示の一実施形態に係る編成枠管理システムを示すブロック構成図である。
【図２】図１の編成枠管理装置１００を示す機能ブロック構成図である。
【図３】図１のワイヤレスヘッドホン５００を示す機能ブロック構成図である。
【図４】図１の編成枠管理システム１における処理の流れを示す模式図である。
【図５】図１の映像保有者端末２００に表示される編成枠選択画面の例を示す模式図である。
【図６】図１の映像保有者端末２００に表示されるアップロード設定画面の例を示す模式図である。
【図７】図１の編成枠管理装置１００の動作を示すフローチャートである。
【図８】本開示の一実施形態に係る編成枠管理システムのワイヤレスヘッドホン５００ａを示す機能ブロック構成図である。
【図９】本開示の一実施形態に係る編成枠管理システムの適用例である上映施設１０を示す鳥瞰図である。
【図１０】本開示の一実施形態に係る編成枠管理システムの適用例である店舗内空間２０を示す模式図である。
【図１１】本開示の一実施形態に係るコンピュータ７００の構成の例を示す機能ブロック構成図である。
【発明を実施するための形態】
【００１４】
以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１５】
（実施形態１）
＜構成＞
図１は、本開示の実施形態１に係る編成枠管理システム１を示すブロック構成図である。この編成枠管理システム１は、クリエイターが映画等の映像コンテンツを制作し、その映像コンテンツのデータをアップロードすると、そのデータを受け付け、映画館のような上映施設に設けられた映像出力装置に対してデータを提供して上映させ、ユーザの視聴状態情報を取得し、ユーザへの課金情報を管理してクリエイター及び／または上映施設の管理者（施設管理者）への報酬支払を管理するシステムである。なお、映像コンテンツのデータをアップロードするのはクリエイターに限られず、映像コンテンツを譲渡された譲受人であっても良く、以下、クリエイター及び譲受人を総称して、「映像保有者」と表記する。
【００１６】
編成枠管理システム１は、編成枠管理装置１００と、映像保有者端末２００と、映像出力装置３００ａ，３００ｂ，３００ｃ，・・・と、画面４００ａ，４００ｂ，４００ｃ，・・・と、ワイヤレスヘッドホン５００ａ，５００ｂ，５００ｃ，・・・と、ネットワークＮＷとを有している。編成枠管理装置１００と、映像保有者端末２００と、映像出力装置３００ａ，３００ｂ，３００ｃ，・・・と、画面４００ａ，４００ｂ，４００ｃ，・・・と、ワイヤレスヘッドホン５００ａ，５００ｂ，５００ｃ，・・・とは、ネットワークＮＷを介して相互に接続される。
【００１７】
ネットワークＮＷは、通信を行うための通信網であり、例えばインターネット、イントラネット、無線ＬＡＮ（Local Area Network）、ＷＡＮ（Wide Area Network）、Ｂｌｕｅｔｏｏｔｈ（登録商標）やＺ−Ｗａｖｅ（登録商標）等の無線通信網により構成されている。なお、映像出力装置３００ａ，３００ｂ，３００ｃ，・・・は、それぞれ同様の構成を備えるものであり、映像出力装置３００ａ，３００ｂ，３００ｃ，・・・の構成を説明する際、代表して映像出力装置３００と表記する。画面４００ａ，４００ｂ，４００ｃ，・・・、及びワイヤレスヘッドホン５００ａ，５００ｂ，５００ｃ，・・・についても同様である。
【００１８】
編成枠管理装置１００は、映像保有者からのアップロードを受け付けた映像コンテンツの映像を映像出力装置３００に出力して画面４００に表示（上映）させ、音声をワイヤレスヘッドホン５００に出力するための編成枠を管理する装置であり、例えば、各種Ｗｅｂサービスを提供するサーバ装置により構成されている。なお、サーバ装置は単体で動作するサーバ装置に限られず、ネットワークＮＷを介して通信を行うことで協調動作する分散型サーバシステムでも良い。
【００１９】
映像保有者端末２００は、映像コンテンツを制作した映像保有者が使用する端末装置であり、例えばパーソナルコンピュータやタブレット端末等の情報処理装置により構成されている。
【００２０】
映像出力装置３００は、編成枠管理装置１００からの指示により映像コンテンツの映像（動画）データを受信し、映像を画面４００に表示させる装置であり、映画館のような上映施設や公共施設等に設けられている。例えば、上映施設が映画館のように多数のユーザにより映像コンテンツが視聴される施設の場合、大型スクリーンに投影するプロジェクタにより構成され、商業施設の空きスペースやコンビニエンスストアのイートインコーナーのように少人数のユーザにより映像コンテンツが視聴される施設の場合、液晶ディスプレイ等により構成されている。
【００２１】
画面４００は、映像出力装置３００が表示させる映像コンテンツを実際に表示する画面であり、映像出力装置３００がプロジェクタにより構成されている場合、大型スクリーンにより構成されている。なお、映像出力装置３００が液晶ディスプレイ等により構成されている場合のように、映像出力装置３００と画面４００とが一体の装置により構成される場合もある。
【００２２】
ワイヤレスヘッドホン５００は、映像出力装置３００が設けられている上映施設に来館したユーザの耳を覆うように装着され、編成枠管理装置１００からの指示により、映像コンテンツの音声データを受信して音声として出力する装置である。映像出力装置３００が設置されている上映施設では、ユーザが来館するとワイヤレスヘッドホン５００を貸し出し、ユーザはこのワイヤレスヘッドホン５００を装着して映像コンテンツを視聴するようになっている。このワイヤレスヘッドホン５００から出力される音声は、映像出力装置３００から出力される映像と同期するように編成枠管理装置１００にて制御されている。また、このワイヤレスヘッドホン５００は、ユーザが映像コンテンツを視聴しているときの視聴状態、例えば視聴中や視聴中断中であることを示す視聴状態情報を検出する機能を有している。
【００２３】
図２は、図１の編成枠管理装置１００を示す機能ブロック構成図である。編成枠管理装置１００は、通信部１１０と、記憶部１２０と、制御部１３０とを備える。
【００２４】
通信部１１０は、ネットワークＮＷを介して映像保有者端末２００、映像出力装置３００、及びワイヤレスヘッドホン５００と有線または無線で通信を行うための通信インタフェースであり、例えばＴＣＰ／ＩＰ（Transmission Control Protocol/Internet Protocol）等の通信規約により通信が行われる。
【００２５】
記憶部１２０は、各種制御処理や制御部１３０内の各機能を実行するためのプログラム、入力データ等を記憶するものであり、ＲＡＭ（Random Access Memory）、ＲＯＭ（Read Only Memory）等から構成される。また、記憶部１２０は、コンテンツＤＢ１２１、編成枠ＤＢ（編成枠記憶部）１２２、提供課金情報ＤＢ１２３、視聴状態ＤＢ１２４、視聴課金情報ＤＢ１２５、及び報酬情報ＤＢ１２６を記憶する。さらに、記憶部１２０は、映像保有者端末２００、映像出力装置３００、及びワイヤレスヘッドホン５００と通信を行ったデータや、後述する各処理にて生成されたデータを一時的に記憶する。
【００２６】
コンテンツＤＢ１２１には、映像保有者がアップロードした映像コンテンツのデータ、またはこのデータが格納されている格納先のパス情報が格納されて記憶している。また、この映像コンテンツのデータ容量やデータ形式、解像度等、映像出力装置３００及びワイヤレスヘッドホン５００へ出力するために必要な情報が格納されている。
【００２７】
編成枠ＤＢ１２２には、映像コンテンツを上映する編成枠の情報が格納されて記憶している。編成枠とは、映像コンテンツを上映する映像出力装置３００毎に、映像コンテンツを上映する時間が枠として設定されているものである。映像保有者は、自己が制作した映像コンテンツを視聴してもらうために一以上の編成枠を指定することで、自己の映像コンテンツをユーザに視聴してもらうことが可能になる。
【００２８】
編成枠ＤＢ１２２の具体的な格納内容は、編成枠として、映像コンテンツを上映する映像出力装置３００を指定する情報、及び映像コンテンツを上映する時間の情報であり、また、映像出力装置３００及びワイヤレスヘッドホン５００が設置されている上映施設の地域や住所情報、営業時間等の情報である。さらに、当該編成枠において上映する映像コンテンツが映像保有者によって指定されている場合、コンテンツＤＢ１２１に格納されているコンテンツの格納情報との紐づけ情報、コンテンツの上映時間、クリエイターの氏名または名称（芸名や団体名等も含む）等の情報が編成枠ＤＢ１２２に格納される。
【００２９】
提供課金情報ＤＢ１２３には、映像保有者が編成枠管理システム１を利用して映像コンテンツをアップロードし、ユーザに視聴してもらう際に発生する、映像保有者が支払う利用料の課金情報が格納されて記憶している。例えば、編成枠ごとに所定の利用料が設定されており、映像保有者が自己の映像コンテンツを視聴してもらうために一以上の編成枠を指定すると、それぞれの編成枠ごとの利用料が発生し、当該映像保有者に課金される。そのため、この課金金額が算出され、その課金情報が提供課金情報ＤＢ１２３に格納される。
【００３０】
また、提供課金情報ＤＢ１２３には、この課金についての映像保有者の支払方法や支払履歴の情報を格納しても良い。なお、編成枠管理システム１の運用者が、映像保有者からの利用料を徴収しない場合、この提供課金情報ＤＢ１２３はなくても良い。
【００３１】
視聴状態ＤＢ１２４には、上映施設で映像コンテンツが上映された際に、ユーザが映像コンテンツを視聴しているときの視聴状態を示す視聴状態情報が格納されて記憶している。視聴状態情報は、例えば、ユーザが映像コンテンツを視聴している状態のときは「視聴中」であり、映像コンテンツの視聴を中断している状態のときは「視聴中断中」である。この視聴状態情報は、後述する当該ユーザへの課金や、映像保有者及び映像出力装置３００及びワイヤレスヘッドホン５００が設置されている上映施設の運営者の報酬を算出する際に使用される。
【００３２】
視聴課金情報ＤＢ１２５には、映像コンテンツを視聴したユーザに対する視聴料金の課金情報が格納されて記憶している。例えば、映像出力装置３００及びワイヤレスヘッドホン５００が設置されている上映施設では、ユーザが映像コンテンツを視聴している時間に対して単位時間当たりの視聴料金を徴収するように設定されており、ユーザはこの上映施設に来店して映像コンテンツを視聴するごとに視聴料金を支払う仕組みになっている。そのため、この視聴料金に対する課金金額が算出され、その課金情報が視聴課金情報ＤＢ１２５に格納される。
【００３３】
また、視聴課金情報ＤＢ１２５には、この課金についてのユーザの支払方法や支払履歴の情報を格納しても良い。なお、上映施設の管理者が、ユーザからの視聴料金を徴収しない場合、例えば、広告料金で当該上映施設の運営コストが回収可能な場合や、飲食物の提供が主たる業務の場合、またはユーザの来店ごとに現金等で決済が完了してユーザの課金情報を蓄積する必要がない場合、この視聴課金情報ＤＢ１２５はなくても良い。
【００３４】
報酬情報ＤＢ１２６には、映像コンテンツのデータをアップロードした映像保有者、及び／または、映像出力装置３００及びワイヤレスヘッドホン５００が設置されている上映施設の管理者への報酬情報が格納されて記憶している。例えば、上映施設にてユーザが視聴料金を支払い、映像コンテンツを視聴すると、その視聴料金は、映像保有者と上映施設の管理者との間で分配される。このときの分配の割合は、上映施設の管理者の設定で決定され、または、映像保有者と上映施設の管理者との間の取り決めにより決定される。その割合に従って映像保有者及び上映施設の管理者の報酬額が算出され、その報酬情報が報酬情報ＤＢ１２６に格納される。
【００３５】
また、報酬情報ＤＢ１２６には、この報酬についての映像保有者及び上映施設の管理者への支払方法や支払履歴の情報を格納しても良い。なお、上映施設の管理者が、報酬を不要とする場合、例えば、広告料金で当該上映施設の運営コストが回収可能な場合や、飲食物の提供が主たる業務の場合、ユーザが支払った視聴料金は映像保有者の取り分としても良い。
【００３６】
制御部１３０は、記憶部１２０に記憶されているプログラムを実行することにより、編成枠管理装置１００の全体の動作を制御するものであり、ＣＰＵ（Central Processing Unit）やＧＰＵ（Graphics Processing Unit）等から構成される。制御部１３０の機能として、コンテンツ受付部１３１と、提供課金情報生成部１３２と、映像出力部１３３と、視聴状態取得部１３４と、視聴課金情報生成部１３５と、報酬情報生成部１３６とを備えている。このコンテンツ受付部１３１、提供課金情報生成部１３２、映像出力部１３３、視聴状態取得部１３４、視聴課金情報生成部１３５、及び報酬情報生成部１３６は、記憶部１２０に記憶されているプログラムにより起動されて編成枠管理装置１００にて実行される。
【００３７】
コンテンツ受付部１３１は、映像保有者による映像コンテンツのデータのアップロードを受け付ける。このとき、コンテンツ受付部１３１は、映像保有者が指定する編成枠として、映像コンテンツを上映する映像出力装置３００を指定する情報、及び映像コンテンツを上映する時間の情報を映像コンテンツと共に受け付ける。また、映像コンテンツの情報として、コンテンツの上映時間、クリエイターの氏名または名称（芸名や団体名等も含む）等の情報も受け付ける。
【００３８】
また、コンテンツ受付部１３１は、受け付けた映像コンテンツのデータをコンテンツＤＢ１２１または所定の記憶装置に格納し、映像コンテンツを上映する映像出力装置３００を指定する情報及び映像コンテンツを上映する時間の情報、映像コンテンツのデータとの紐づけ情報、格納コンテンツの上映時間、クリエイターの氏名または名称の情報を、編成枠ＤＢ１２２に格納する。
【００３９】
提供課金情報生成部１３２は、映像保有者が映像コンテンツをアップロードし、ユーザに視聴してもらう際に発生する、映像保有者が支払う利用料の課金情報を生成する。例えば、コンテンツ受付部１３１で映像保有者が自己の映像コンテンツをアップロードするために一以上の編成枠を指定すると、編成枠ごとに予め所定の利用料が設定されており、指定した一以上の編成枠の利用料が合計され、当該映像保有者の利用料として算出され、課金情報が生成される。提供課金情報生成部１３２は、生成された利用料の課金情報を提供課金情報ＤＢ１２３に格納する。
【００４０】
映像出力部１３３は、編成枠ＤＢ１２２に格納されている編成枠に基づき、コンテンツＤＢ１２１に格納されている映像コンテンツ、または映像コンテンツの格納先のパス情報から読み込まれる映像コンテンツのデータから、映像コンテンツを出力させるために映像コンテンツのデータを送信する。具体的には、映像コンテンツのデータのうち、映像（動画）データを編成枠で指定された映像出力装置３００へ送信し、音声データを編成枠で指定されたワイヤレスヘッドホン５００へ送信する。このとき、映像出力部１３３は、映像（動画）データと音声データとを同期してそれぞれ出力する。また、映像出力部１３３は、映像（動画）データと音声データとを出力するための制御信号、例えばタイミング制御を行うための制御信号等を映像出力装置３００及びワイヤレスヘッドホン５００へ送信する。なお、このときの送信手法は、データを逐次送信して上映するストリーミング形式でも良く、データを一括で送信するファイル転送形式でも良い。
【００４１】
また、映像出力部１３３は、映像コンテンツのデータ内にメタデータとして埋め込まれている、映像コンテンツのデータ容量やデータ形式、映像シーンの識別情報や出演者の識別情報も映像出力装置３００へ出力する。この情報は、例えば映像出力装置３００で上映するための制御情報や、上映施設内のサービスとして、上映中またはこれから上映される映像コンテンツの案内等に使用される。
【００４２】
視聴状態取得部１３４は、映像出力部１３３によって送信された映像コンテンツが、映像出力装置３００及びワイヤレスヘッドホン５００が設置されている上映施設において上映される際に、その上映施設に来館したユーザが映像コンテンツを視聴しているときの視聴状態を示す視聴状態情報を取得する。この視聴状態情報は、前述のように、例えばユーザが映像コンテンツを視聴している状態の「視聴中」や、映像コンテンツの視聴を中断している状態の「視聴中断中」、またはユーザが映像コンテンツを視聴している「視聴中」の状態の時間である視聴時間情報であり、ワイヤレスヘッドホン５００によって検出されて編成枠管理装置１００に送信され、通信部１１０を介して取得する。また、視聴状態情報には、複数のワイヤレスヘッドホン５００から取得した当該映像コンテンツを視聴したユーザ数も含まれる。視聴状態取得部１３４は、取得した視聴状態情報を視聴状態ＤＢ１２４に格納する。
【００４３】
視聴課金情報生成部１３５は、映像出力装置３００及びワイヤレスヘッドホン５００が設置されている上映施設にて上映されている映像コンテンツを視聴したユーザに対する、視聴料金の課金情報を生成する。この課金情報は、例えば上映施設では、ユーザが映像コンテンツを視聴している時間に対して単位時間当たりの視聴料金を徴収するため、視聴状態取得部１３４が取得した視聴状態に基づいて算出される。また、課金情報が１回の視聴に対して固定の金額を徴収する場合には、ユーザの視聴回数に基づいて課金情報が算出される。視聴課金情報生成部１３５は、生成した課金情報を視聴課金情報ＤＢ１２５に格納する。
【００４４】
報酬情報生成部１３６は、映像コンテンツのデータをアップロードした映像保有者、及び／または、映像出力装置３００及びワイヤレスヘッドホン５００が設置されている上映施設の管理者への報酬情報を生成する。具体的には、例えば、ユーザが上映施設で支払った視聴料金を映像保有者と上映施設の管理者との間で所定の割合で分配するように取り決めがなされており、その取り決めに従ってそれぞれの報酬額を算出し、報酬情報を生成する。また、このときの映像保有者への報酬は、映像コンテンツを視聴したユーザ数にも基づいて決定される。このとき、上映施設の管理者が報酬を不要とする場合、ユーザの視聴料金は映像保有者の取り分として報酬情報が生成される。報酬情報生成部１３６は、生成した報酬情報を報酬情報ＤＢ１２６に格納する。
【００４５】
図３は、図１のワイヤレスヘッドホン５００を示す機能ブロック構成図である。ワイヤレスヘッドホン５００は、通信部５１０と、音声出力部５２０と、記憶部５３０と、制御部５４０とを備える。
【００４６】
通信部５１０は、ネットワークＮＷを介して編成枠管理装置１００と無線で通信を行うための通信インタフェースであり、例えばＧＡＴＴ（Generic Attribute Profile）やＴＣＰ／ＩＰ（Transmission Control Protocol/Internet Protocol）等の通信規約により通信が行われる。
【００４７】
音声出力部５２０は、通信部５１０を介して編成枠管理装置１００から受信した音声データを、ユーザが聴衆する音声に変換して出力する装置であり、Ｄ／Ａコンバータやスピーカ等により構成され、ユーザが耳を覆う位置に配置されている。このときの音声は微弱であり、装着するユーザには音声が聞こえるが、周囲の他の者には聞こえないようになっている。
【００４８】
記憶部５３０は、各種制御処理や制御部５４０内の各機能を実行するためのプログラム、入力データ等を記憶するものであり、ＲＡＭ、ＲＯＭ等から構成される。また、記憶部５３０は、視聴状態情報５３１を記憶する。さらに、記憶部５３０は、編成枠管理装置１００と通信を行ったデータや、後述する各処理にて生成されたデータを一時的に記憶する。
【００４９】
視聴状態情報５３１には、ユーザが映像コンテンツを視聴しているときの視聴状態情報が格納されている。この視聴状態情報は、後述する制御部５４０の検出部５４２が検出した情報であり、通信部５１０を介して編成枠管理装置１００へ送信される。
【００５０】
制御部５４０は、記憶部５３０に記憶されているプログラムを実行することにより、ワイヤレスヘッドホン５００の全体の動作を制御するものであり、ＣＰＵやＧＰＵ等から構成される。制御部５４０の機能として、音声出力制御部５４１と、検出部５４２とを備えている。この音声出力制御部５４１及び検出部５４２は、記憶部５３０に記憶されているプログラムにより起動されてワイヤレスヘッドホン５００にて実行される。
【００５１】
音声出力制御部５４１は、音声出力部５２０を構成するＤ／Ａコンバータやスピーカ等の動作を制御する。例えば、ワイヤレスヘッドホン５００には音声出力をオン／オフ制御するスイッチや、音量を調節するボタン等が設けられ、ユーザがスイッチやボタン等を操作すると、その操作に合わせて音声出力をオン／オフ制御したり、音声の音量を調節したりする。また、編成枠管理装置１００から受信した制御信号に基づき、映像出力装置３００で出力される映像と同期するように音声を出力させる。
【００５２】
検出部５４２は、ユーザが映像コンテンツを視聴しているときの視聴状態情報を検出する。具体的には、ワイヤレスヘッドホン５００の電源（音声信号受信用電源）がオン状態である時間を取得するとともに、映像コンテンツの音声情報が入力され、音声出力部５２０から音声が出力されている時間にユーザが映像コンテンツを視聴しているものとみなし、音声出力部５２０から音声が出力されている時間（オン状態である時間）を「視聴中」として検出し、音声出力部５２０から音声が出力されていない時間を「視聴中断中」として検出する。検出部５４２は、この視聴状態情報を、通信部５１０を介して編成枠管理装置１００へ送信する。
【００５３】
＜処理の流れ＞
まず、図４を参照しながら、編成枠管理システム１全体の処理の流れの例について説明する。図４は、図１の編成枠管理システム１における処理の流れを示す模式図である。
【００５４】
ステップＳ００１の処理として、映像保有者Ｃが映像保有者端末２００を使用して映像コンテンツのデータをアップロードすると、編成枠管理装置１００で受け付けられる。このとき、映像保有者Ｃは、自己の映像コンテンツを上映する編成枠として、映像コンテンツを上映する映像出力装置３００を指定する情報、及び映像コンテンツを上映する時間の情報を映像保有者端末２００に入力して、映像コンテンツのデータと共にアップロードする。これにより、映像保有者Ｃの映像コンテンツを上映施設で上映させることが出来る。
【００５５】
図５は、図１の映像保有者端末２００に表示される、編成枠選択画面の例を示す模式図である。図５に示す編成枠選択画面には、映像出力装置３００及びワイヤレスヘッドホン５００が設置されている上映施設の例として、スクリーン名が「ScreenA」、「ScreenB」、「ScreenC」の編成枠Ｈ１，Ｈ２，Ｈ３が表示されている。
【００５６】
編成枠Ｈ１は、１８：００からの編成枠としてコンテンツＡが選択され、１９：５０からの編成枠としてコンテンツＢが選択され、２２：００からの編成枠としてコンテンツＣが選択されていることを示している。同様に、編成枠Ｈ２は、１８：００からの編成枠としてコンテンツＤが選択され、２０：１５からの編成枠は空き状態であり、２２：０５からの編成枠としてコンテンツＥが選択されていることを示している。さらに、編成枠Ｈ３は、１８：００からの編成枠としてコンテンツＦが選択され、１９：４５からの編成枠としてコンテンツＧが選択され、２１：５５からの編成枠は空き状態であることを示している。
【００５７】
例えば、編成枠選択画面では、空き状態の編成枠をマウス等でクリックすることにより指定可能となっており、映像保有者Ｃが映像コンテンツのデータをアップロードするとき、映像保有者端末２００にて、図５に示すような編成枠選択画面で編成枠を選択することで、映像コンテンツを上映する映像出力装置３００を指定する情報、及び映像コンテンツを上映する時間の情報を入力する。映像保有者Ｃは、例えば、同じ時刻で多数の上映施設で映像コンテンツが上映されるように編成枠を指定したり、所定の地域の複数の上映施設で映像コンテンツが上映されるように編成枠を指定したり、特定の上映施設のみで映像コンテンツが上映されるように編成枠を指定したりすることが（編成枠に空きがあれば）可能となっている。
【００５８】
図６は、図１の映像保有者端末２００に表示されるアップロード設定画面の例を示す模式図である。図６に示すアップロード設定画面には、コンテンツ名入力欄Ｔ１、クリエイター名入力欄Ｔ２、スクリーン名入力欄Ｔ３、編成枠開始時刻入力欄Ｔ４、及びコンテンツ時間入力欄Ｔ５が示されている。
【００５９】
例えば、図５に示す編成枠選択画面で編成枠を選択すると、図６に示すアップロード設定画面が表示され、選択した編成枠のスクリーン名及び編成枠開始時刻が、スクリーン名入力欄Ｔ３及び編成枠開始時刻入力欄Ｔ４にそれぞれ入力される。また、例えば、コンテンツ名入力欄Ｔ１をマウス等でクリックすることにより選択すると、ファイルのアップロード画面が表示され、映像コンテンツのデータをアップロードするとそのファイル名がコンテンツ名入力欄Ｔ１に入力され、映像コンテンツのコンテンツ時間がコンテンツ時間入力欄Ｔ５に入力される。クリエイター名入力欄Ｔ２は、キーボード等で入力される。
【００６０】
ステップＳ００２の処理として、映像コンテンツのデータをアップロードした映像保有者Ｃに対して、編成枠管理システム１の利用料が課金され、編成枠管理装置１００で課金情報が生成される。
【００６１】
ステップＳ００３の処理として、編成枠管理装置１００では、編成枠に基づいて、映像コンテンツのデータのうち映像（動画）データが、編成枠で指定された映像出力装置３００へ送信される。
【００６２】
ステップＳ００４の処理として、編成枠管理装置１００では、編成枠に基づいて、映像コンテンツのデータのうち音声データが、編成枠で指定されたワイヤレスヘッドホン５００へ送信される。
【００６３】
ステップＳ００５の処理として、ユーザＵが上映施設に来館すると、ワイヤレスヘッドホン５００を貸し出してユーザＵが装着し、映像出力装置３００が画面４００に上映する映像コンテンツをユーザＵが視聴する。このとき、ワイヤレスヘッドホン５００では、ユーザＵがワイヤレスヘッドホン５００を装着して映像コンテンツを視聴しているので、その視聴状態を示す視聴状態情報を取得する。取得された視聴状態情報は、編成枠管理装置１００へ送信される。
【００６４】
ステップＳ００６の処理として、編成枠管理装置１００では、ワイヤレスヘッドホン５００から送信された視聴状態情報を取得し、この視聴状態情報に基づいて、映像コンテンツを視聴したユーザＵに対する視聴料金の課金情報を生成する。これにより、映像コンテンツを視聴したユーザＵに対して視聴料金を課金することが出来る。
【００６５】
ステップＳ００７の処理として、編成枠管理装置１００では、ユーザＵの視聴料金を、映像保有者Ｃと上映施設の管理者との間で所定の割合で分配するため、予め決められた取り決めに従ってそれぞれの報酬額が算出され、報酬情報が生成される。
【００６６】
ステップＳ００８の処理として、算出された映像保有者Ｃに対する報酬額に基づき、映像保有者Ｃへの支払いが行われる。これにより、ユーザＵから徴収した視聴料金を映像保有者Ｃに対する報酬として還元させることが出来る。
【００６７】
ステップＳ００９の処理として、算出された上映施設の管理者に対する報酬額に基づき、映像保有者Ｃへの支払いが行われる。これにより、ユーザＵから徴収した視聴料金を上映施設の管理者に、施設の利用に対する利用料として支払うことが出来る。
【００６８】
次に、図７を参照しながら、編成枠管理装置１００における編成枠管理方法の処理の流れの例について説明する。図７は、図１の編成枠管理装置１００の動作を示すフローチャートである。
【００６９】
映像保有者Ｃが映像保有者端末２００を使用して、編成枠を指定して映像コンテンツのデータをアップロードすると、ステップＳ１０１の処理として、編成枠管理装置１００のコンテンツ受付部１３１では、映像コンテンツのデータと、映像コンテンツを上映する編成枠として、映像コンテンツを上映する映像出力装置３００を指定する情報、及び映像コンテンツを上映する時間の情報とを受け付ける。また、コンテンツ受付部１３１では、受け付けられた映像コンテンツのデータがコンテンツＤＢ１２１または所定の記憶装置に格納され、編成枠の各情報が編成枠ＤＢ１２２に格納される。
【００７０】
ステップＳ１０２の処理として、提供課金情報生成部１３２では、映像コンテンツのデータをアップロードした映像保有者Ｃに対する、編成枠管理システム１の利用料の課金情報が生成される。また、提供課金情報生成部１３２では、生成された利用料の課金情報が提供課金情報ＤＢ１２３に格納される。
【００７１】
ステップＳ１０３の処理として、映像出力部１３３では、映像コンテンツのデータのうち、映像（動画）データが、映像コンテンツのデータ内にメタデータとして埋め込まれている映像シーンの識別情報や出演者の識別情報と共に編成枠で指定された映像出力装置３００へ送信され、音声データが編成枠で指定されたワイヤレスヘッドホン５００へ送信される。
【００７２】
ステップＳ１０４の処理として、視聴状態取得部１３４では、ワイヤレスヘッドホン５００の検出部５４２によって検出されて編成枠管理装置１００に送信された、ユーザが映像コンテンツを視聴しているときの視聴状態情報が取得される。また、視聴状態取得部１３４では、取得された視聴状態情報が視聴状態ＤＢ１２４に格納される。
【００７３】
ステップＳ１０５の処理として、視聴課金情報生成部１３５では、例えばステップＳ１０４で取得された視聴状態情報に基づき、上映施設にて上映されている映像コンテンツを視聴したユーザＵに対する、視聴料金の課金情報が生成される。また、視聴課金情報生成部１３５では、生成された課金情報が視聴課金情報ＤＢ１２５に格納される。その後、ユーザＵに対する視聴料金の決済が行われる。
【００７４】
ステップＳ１０６の処理として、報酬情報生成部１３６では、ユーザが上映施設で支払った視聴料金が映像保有者Ｃと上映施設の管理者との間で所定の割合で分配され、映像保有者Ｃ及び上映施設の管理者への報酬情報が生成される。なお、上映施設の管理者が報酬を不要とする場合、ユーザの視聴料金は映像保有者の取り分として報酬情報が生成される。また、報酬情報生成部１３６では、生成された報酬情報が報酬情報ＤＢ１２６に格納される。
【００７５】
ステップＳ１０７の処理として、ステップＳ１０６で生成された報酬情報に基づき、映像保有者Ｃ及び上映施設の管理者に対する報酬の支払いが行われる。
【００７６】
＜効果＞
以上のように、本実施形態に係る編成枠管理システムは、映像保有者が空いている編成枠を指定して映像コンテンツをアップロードするとコンテンツ受付部によって受け付けられ、編成枠が編成枠ＤＢに記憶され、編成枠に基づいて映像コンテンツの映像（動画）データを映像出力装置へ送信し、音声データをワイヤレスヘッドホンへ送信する。これにより、映像保有者は、上映施設において空いている編成枠に自己のコンテンツを上映することが可能である。
【００７７】
また、編成枠管理システムは、編成枠管理装置に映像コンテンツをアップロードすることで映像コンテンツを上映施設で上映させることが出来るので、既存の公共の施設に大型ディスプレイ等の映像出力装置を設置するだけで、映像コンテンツを気軽に視聴可能な施設を提供することが可能である。
【００７８】
さらに、視聴状態取得部によって映像コンテンツを視聴するユーザの視聴状態を取得し、視聴課金情報生成部によってこのユーザに対する視聴料金の課金情報を生成する。報酬情報生成部では、この視聴料金を、映像保有者と上映施設の管理者との間で所定の割合で分配する。これにより、映像コンテンツを視聴するユーザに対して課金し、その金額を映像保有者と上映施設の管理者との間で分配をすることが可能である。
【００７９】
（実施形態２）
図８は、本開示の実施形態２に係る編成枠管理システム１のワイヤレスヘッドホン５００ａを示す機能ブロック構成図である。このワイヤレスヘッドホン５００Ａは、上映施設で貸し出されてユーザによって装着されて映像コンテンツが視聴され、ユーザの視聴状態情報を検出する機能を有している点において、実施形態１に係るワイヤレスヘッドホン５００と同様であるが、センサ部５５０を備えている点において、実施形態１に係るワイヤレスヘッドホン５００と異なる。その他の構成及び処理の流れについては、実施形態１と同様である。
【００８０】
センサ部５５０は、例えばユーザの耳を覆う箇所の近傍に配置され、ユーザがワイヤレスヘッドホン５００Ａを装着したことを検知する装置である。また、このワイヤレスヘッドホン５００Ａにおける検出部５４２は、センサ部５５０がユーザを検知した時間に、ユーザが映像コンテンツを視聴しているものとみなしてその時間を「視聴中」として検出し、それ以外の時間を「視聴中断中」として検出する。
【００８１】
ワイヤレスヘッドホン５００Ａが音声を出力した状態であっても、ユーザは視聴していない場合もあり、そのような時間に対して映像保有者に報酬を課金するのは適切ではないと考えられる。そのため、本実施形態では、センサ部５５０によりユーザのワイヤレスヘッドホン５００Ａの装着を検知することで、より正確にユーザの視聴状態を把握することを可能にしている。
【００８２】
本実施形態によれば、上記実施形態１の効果に加え、ワイヤレスヘッドホンがセンサ部を備えることにより、より正確にユーザの視聴状態を把握することを可能にしている。これにより、映像保有者への報酬をより適切に課金することが可能になる。
【００８３】
（実施形態３）
図９は、本開示の実施形態３に係る編成枠管理システム１の適用例である上映施設１０を示す鳥瞰図である。本実施形態に係る編成枠管理システム１の構成は、実施形態１と同様である。この上映施設１０は、映画館のように壁面に囲まれた内部空間に映像出力装置３００ａ，３００ｂ，３００ｃ（図示せず）及び画面４００ａ，４００ｂ，４００ｃが設けられた施設であり、画面４００ａ，４００ｂ，４００ｃにはそれぞれ異なる映像コンテンツが上映されている。
【００８４】
ユーザは、入退室管理装置１１が設けられた出入口から入室し、カウンタ１２でワイヤレスヘッドホン５００の貸し出しを受け、画面４００ａ，４００ｂ，４００ｃに対向する位置にそれぞれ設けられた長椅子１３に着席し、ワイヤレスヘッドホン５００を装着して映像コンテンツを視聴する。ワイヤレスヘッドホン５００は、画面４００ａ，４００ｂ，４００ｃに上映されている映像コンテンツに対応する音声が出力されている。ユーザがワイヤレスヘッドホン５００を装着して映像コンテンツを視聴することにより、他のコンテンツの音声が聞こえなくなるため、自己の視聴する映像コンテンツの邪魔になることを防止できる。
【００８５】
なお、ワイヤレスヘッドホン５００に入力切替スイッチを設け、画面４００ａ，４００ｂ，４００ｃに上映されている映像コンテンツに対応する音声を選択可能に構成しても良い。このような構成にすることにより、１つの上映施設で複数の映像コンテンツを視聴することを可能にしている。また、ユーザが着席する長椅子１３にテーブルを設け、上映施設内で飲食物を提供する施設にしても良い。
【００８６】
本実施形態によれば、上記実施形態１及び２の効果に加え、異なる映像コンテンツを上映する複数の画面が設けられ、これに対応する音声を出力するワイヤレスヘッドホンを貸し出し、ユーザはワイヤレスヘッドホンを装着して映像コンテンツを視聴するので、１つの上映施設で複数の映像コンテンツを視聴することが可能になる。
【００８７】
（実施形態４）
図１０は、本開示の実施形態４に係る編成枠管理システム１の適用例である店舗内空間２０を示す模式図である。本実施形態に係る編成枠管理システム１の構成は、実施形態１と同様である。この店舗内空間２０は、例えばコンビニエンスストアのイートインコーナーや商業施設の空間であり、所定の位置に映像出力装置３００（図示せず）及び画面４００が設けられている。この画面４００は、例えば大型の液晶モニタ等により構成されている。
【００８８】
この店舗内空間２０の店舗に来店したユーザＵは、例えば店舗内空間２０に隣接して設けられたカウンタでワイヤレスヘッドホン５００の貸し出しを受け、画面４００に対向する位置に設けられた椅子２１に着席し、ワイヤレスヘッドホン５００を装着して映像コンテンツを視聴する。そのとき、ユーザＵはコンビニエンスストアや商業施設で購入した飲食物を飲食しても良い。ユーザがワイヤレスヘッドホン５００を装着して映像コンテンツを視聴することにより、コンビニエンスストアや商業施設の他の顧客の邪魔になることなく、ユーザが映像コンテンツを視聴することを可能にしている。
【００８９】
また、店舗内空間２０には、空間内を撮影するカメラ（人感センサ）２２が設けられ、店舗内空間２０を撮影して、ユーザＵが椅子２１に着席して映像コンテンツを視聴している状態を検知する。カメラ２２がユーザＵを検知した時間に、ユーザＵが映像コンテンツを視聴しているものとみなしてその時間を「視聴中」として検出し、それ以外の時間を「視聴中断中」として検出する。これにより、ワイヤレスヘッドホン５００にセンサ部等の機能を設けなくても本発明を適用することが可能になる。
【００９０】
本実施形態によれば、上記実施形態１ないし３の効果に加え、コンビニエンスストアのイートインコーナーや商業施設の空間に映像出力装置及び画面を設けることにより、上映施設を構築することが出来る。これにより、既存の公共の施設に大型ディスプレイ等の映像出力装置を設置するだけで、映像コンテンツを気軽に視聴可能な施設を提供することが可能である。また、店舗内空間にカメラが設けられ、店舗内空間を撮影することで、ユーザが椅子に着席して映像コンテンツを視聴している状態を検知することが出来るので、ワイヤレスヘッドホンにセンサ部等の機能を設けなくても本発明を適用することが可能になる。
【００９１】
（実施形態５（プログラム））
図１１は、コンピュータ（電子計算機）７００の構成の例を示す機能ブロック構成図である。コンピュータ７００は、ＣＰＵ７０１、主記憶装置７０２、補助記憶装置７０３、インタフェース７０４を備える。
【００９２】
ここで、実施形態１ないし４に係るコンテンツ受付部１３１、提供課金情報生成部１３２、映像出力部１３３、視聴状態取得部１３４、視聴課金情報生成部１３５、及び報酬情報生成部１３６を構成する各機能を実現するための制御プログラム（編成枠管理プログラム）の詳細について説明する。これらの機能ブロックは、コンピュータ７００に実装される。そして、これらの各構成要素の動作は、プログラムの形式で補助記憶装置７０３に記憶されている。ＣＰＵ７０１は、プログラムを補助記憶装置７０３から読み出して主記憶装置７０２に展開し、当該プログラムに従って上記処理を実行する。また、ＣＰＵ７０１は、プログラムに従って、上述した記憶部に対応する記憶領域を主記憶装置７０２に確保する。
【００９３】
当該プログラムは、具体的には、コンピュータ７００において、映像コンテンツの映像情報のアップロードを、映像コンテンツを出力する時間を指定する時間情報、及び出力する映像出力装置を指定する出力指定情報と共に受け付け、時間情報及び出力指定情報を編成枠として記憶させるコンテンツ受付ステップと、編成枠に基づき、映像コンテンツを映像出力装置へ出力させる映像出力ステップと、映像出力装置が出力する、映像コンテンツを視聴するユーザの視聴状態を示す視聴状態情報を取得する視聴状態取得ステップと、視聴状態情報に基づき、映像コンテンツをアップロードした映像保有者に対する報酬情報を生成する報酬情報生成ステップと、をコンピュータによって実現する制御プログラムである。
【００９４】
なお、補助記憶装置７０３は、一時的でない有形の媒体の一例である。一時的でない有形の媒体の他の例としては、インタフェース７０４を介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータ７００に配信される場合、配信を受けたコンピュータ７００が当該プログラムを主記憶装置７０２に展開し、上記処理を実行してもよい。
【００９５】
また、当該プログラムは、前述した機能の一部を実現するためのものであってもよい。さらに、当該プログラムは、前述した機能を補助記憶装置７０３に既に記憶されている他のプログラムとの組み合わせで実現するもの、いわゆる差分ファイル（差分プログラム）であってもよい。
【００９６】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【００９７】
１  編成枠管理システム、１００  編成枠管理装置、１１０  通信部、１２０  記憶部、１２１  コンテンツＤＢ、１２２  編成枠ＤＢ（編成枠記憶部）、１２３  提供課金情報ＤＢ、１２４  視聴状態ＤＢ、１２５  視聴課金情報ＤＢ、１２６  報酬情報ＤＢ、１３０  制御部、１３１  コンテンツ受付部、１３２  提供課金情報生成部、１３３  映像出力部、１３４  視聴状態取得部、１３５  視聴課金情報生成部、１３６  報酬情報生成部、２００  映像保有者端末、３００，３００ａ，３００ｂ，３００ｃ，・・・  映像出力装置、４００，４００ａ，４００ｂ，４００ｃ，・・・  画面、５００，５００ａ，５００ｂ，５００ｃ，・・・  ワイヤレスヘッドホン、ＮＷ  ネットワーク
【図１】
2020080060.tif 000003
【図２】
2020080060.tif 000004
【図３】
2020080060.tif 000005
【図４】
2020080060.tif 000006
【図５】
2020080060.tif 000007
【図６】
2020080060.tif 000008
【図７】
2020080060.tif 000009
【図８】
2020080060.tif 000010
【図９】
2020080060.tif 000011
【図１０】
2020080060.tif 000012
【図１１】
2020080060.tif 000013
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
映像コンテンツを一以上の映像出力装置に出力するための編成枠を管理する編成枠管理装置であって、
前記映像コンテンツの映像情報のアップロードを、前記映像コンテンツを出力する時間を指定する時間情報、及び出力する前記映像出力装置を指定する出力指定情報と共に受け付けるコンテンツ受付部と、
前記時間情報及び前記出力指定情報を前記編成枠として記憶する編成枠記憶部と、
前記編成枠に基づき、前記映像コンテンツを前記映像出力装置へ出力させる映像出力部と、
前記映像出力装置が出力する、前記映像コンテンツを視聴するユーザの視聴状態を示す視聴状態情報を取得する視聴状態取得部と、
前記視聴状態情報に基づき、前記映像コンテンツをアップロードした映像保有者に対する報酬情報を生成する報酬情報生成部と、を備え、
前記ユーザは、前記映像コンテンツを視聴するとき、ワイヤレスヘッドホンを装着して前記映像コンテンツの音声を聴取しながら前記映像コンテンツを視聴し、
前記ワイヤレスヘッドホンは、前記ユーザの前記視聴状態情報を検出し、
前記視聴状態取得部は、前記ワイヤレスヘッドホンが検出した前記視聴状態情報を取得する、編成枠管理装置。
【請求項２】
前記視聴状態情報は、前記映像コンテンツを視聴したユーザ数及び前記ユーザの視聴時間情報を含む、請求項１に記載の編成枠管理装置。
【請求項３】
前記視聴状態取得部は、複数の前記ユーザが前記映像コンテンツを視聴しているときの前記視聴状態情報をそれぞれ取得する、請求項１または請求項２に記載の編成枠管理装置。
【請求項４】
前記ワイヤレスヘッドホンは、音声信号受信用電源がオン状態である時間と、前記映像コンテンツの音声情報が入力された時間とを前記視聴状態情報として検出し、
前記視聴状態取得部は、前記ワイヤレスヘッドホンの音声信号受信用電源がオン状態である時間と、前記映像コンテンツの音声情報が入力された時間とを前記視聴状態情報として取得する、請求項１から請求項３のいずれか１項に記載の編成枠管理装置。
【請求項５】
前記ワイヤレスヘッドホンには、前記ユーザが装着していることを検知するセンサ部が設けられ、
前記センサ部は、前記ユーザが装着した時間を前記視聴状態情報として検出し、
前記視聴状態取得部は、前記センサ部が検出した、前記ユーザが前記ワイヤレスヘッドホンを装着した時間を前記視聴状態情報として取得する、請求項１から請求項４のいずれか１項に記載の編成枠管理装置。
【請求項６】
前記映像コンテンツを視聴する施設には、前記映像出力装置が複数設置され、複数種類の前記映像コンテンツが視聴可能であり、
前記ワイヤレスヘッドホンには、複数種類の前記映像コンテンツのうちの１つを選択可能なスイッチが設けられ、前記ワイヤレスヘッドホンを装着して前記ユーザが選択した前記映像コンテンツを視聴する、請求項１から請求項５のいずれか１項に記載の編成枠管理装置。
【請求項７】
前記映像コンテンツを視聴する施設には、前記ユーザが前記映像コンテンツを視聴しているときに着席していることを検出する人感センサが設けられ、
前記人感センサは、前記ユーザが着席した時間を前記視聴状態情報として検出し、
前記視聴状態取得部は、前記人感センサが検出した、前記ユーザが着席した時間を前記視聴状態情報として取得する、請求項１から請求項６のいずれか１項に記載の編成枠管理装置。
【請求項８】
前記ユーザによる前記映像コンテンツの視聴に対する、視聴課金情報を生成する視聴課金情報生成部を備える、請求項１から請求項７のいずれか１項に記載の編成枠管理装置。
【請求項９】
前記視聴課金情報生成部は、前記視聴状態情報に基づいて前記ユーザに対する視聴課金情報を生成し、
前記報酬情報生成部は、前記視聴状態情報に基づき、前記映像保有者と、前記映像出力装置を管理する施設管理者とに対する報酬情報を生成して前記視聴課金情報を分配する、請求項８に記載の編成枠管理装置。
【請求項１０】
前記編成枠に基づき、前記映像保有者に対する提供課金情報を生成する提供課金情報生成部を備える、請求項１から請求項９のいずれか１項に記載の編成枠管理装置。
【請求項１１】
前記コンテンツ受付部は、前記映像コンテンツを出力する前記映像出力装置が設置されている地域、施設、または前記映像出力装置ごとに出力する前記映像出力装置を指定可能であり、
前記編成枠記憶部は、前記映像出力装置が設置されている地域、施設、または前記映像出力装置ごとに前記編成枠として記憶する、請求項１から請求項１０のいずれか１項に記載の編成枠管理装置。
【請求項１２】
前記映像出力部は、前記映像コンテンツの前記映像情報をストリーミング形式またはファイル転送形式で送信することにより、前記映像コンテンツを前記映像出力装置へ出力させる、請求項１から請求項１１のいずれか１項に記載の編成枠管理装置。
【請求項１３】
映像コンテンツを出力する映像出力装置と、前記映像コンテンツを一以上の前記映像出力装置に出力するための編成枠を管理する編成枠管理装置と、前記映像コンテンツの音声を聴取するためのワイヤレスヘッドホンと、を備える編成枠管理システムであって、
前記編成枠管理装置は、
前記映像コンテンツの映像情報のアップロードを、前記映像コンテンツを出力する時間を指定する時間情報、及び出力する前記映像出力装置を指定する出力指定情報と共に受け付けるコンテンツ受付部と、
前記時間情報及び前記出力指定情報を前記編成枠として記憶する編成枠記憶部と、
前記編成枠に基づき、前記映像コンテンツを前記映像出力装置へ出力させる映像出力部と、
前記映像出力装置が出力する前記映像コンテンツを視聴するユーザの視聴状態を示す視聴状態情報を取得する視聴状態取得部と、
前記視聴状態情報に基づき、前記映像コンテンツをアップロードした映像保有者に対する報酬情報を生成する報酬情報生成部と、を備え、
前記ワイヤレスヘッドホンは、
前記ユーザの前記視聴状態情報を検出する検出部を備える、編成枠管理システム。
【請求項１４】
映像コンテンツを一以上の映像出力装置に出力するための編成枠を管理する編成枠管理方法であって、
コンテンツ受付部が行う、前記映像コンテンツの映像情報のアップロードを、前記映像コンテンツを出力する時間を指定する時間情報、及び出力する前記映像出力装置を指定する出力指定情報と共に受け付け、前記時間情報及び前記出力指定情報を前記編成枠として記憶させるコンテンツ受付ステップと、
映像出力部が行う、前記編成枠に基づき、前記映像コンテンツを前記映像出力装置へ出力させる映像出力ステップと、
視聴状態取得部が行う、前記映像出力装置が出力する、前記映像コンテンツを視聴するユーザの視聴状態を示す視聴状態情報を取得する視聴状態取得ステップと、
報酬情報生成部が行う、前記視聴状態情報に基づき、前記映像コンテンツをアップロードした映像保有者に対する報酬情報を生成する報酬情報生成ステップと、を備え、
前記ユーザは、前記映像コンテンツを視聴するとき、ワイヤレスヘッドホンを装着して前記映像コンテンツの音声を聴取しながら前記映像コンテンツを視聴し、
前記ワイヤレスヘッドホンは、前記ユーザの前記視聴状態情報を検出し、
前記視聴状態取得ステップは、前記ワイヤレスヘッドホンが検出した前記視聴状態情報を取得する、編成枠管理方法。
【請求項１５】
映像コンテンツを一以上の映像出力装置に出力するための編成枠を管理する編成枠管理プログラムであって、
前記映像コンテンツの映像情報のアップロードを、前記映像コンテンツを出力する時間を指定する時間情報、及び出力する前記映像出力装置を指定する出力指定情報と共に受け付け、前記時間情報及び前記出力指定情報を前記編成枠として記憶させるコンテンツ受付ステップと、
前記編成枠に基づき、前記映像コンテンツを前記映像出力装置へ出力させる映像出力ステップと、
前記映像出力装置が出力する、前記映像コンテンツを視聴するユーザの視聴状態を示す視聴状態情報を取得する視聴状態取得ステップと、
前記視聴状態情報に基づき、前記映像コンテンツをアップロードした映像保有者に対する報酬情報を生成する報酬情報生成ステップと、を電子計算機に実行させるための、編成枠管理プログラムであり、
前記ユーザは、前記映像コンテンツを視聴するとき、ワイヤレスヘッドホンを装着して前記映像コンテンツの音声を聴取しながら前記映像コンテンツを視聴し、
前記ワイヤレスヘッドホンは、前記ユーザの前記視聴状態情報を検出し、
前記視聴状態取得ステップは、前記ワイヤレスヘッドホンが検出した前記視聴状態情報を取得する、編成枠管理プログラム。
【手続補正２】
【補正対象書類名】明細書
【補正対象項目名】０００９
【補正方法】変更
【補正の内容】
【０００９】
本開示の一態様における編成枠管理システムは、映像コンテンツを出力する映像出力装置と、映像コンテンツを一以上の映像出力装置に出力するための編成枠を管理する編成枠管理装置と、映像コンテンツの音声を聴取するためのワイヤレスヘッドホンと、を備える編成枠管理システムであって、編成枠管理装置は、映像コンテンツの映像情報のアップロードを、映像コンテンツを出力する時間を指定する時間情報、及び出力する映像出力装置を指定する出力指定情報と共に受け付けるコンテンツ受付部と、時間情報及び出力指定情報を編成枠として記憶する編成枠記憶部と、編成枠に基づき、映像コンテンツを映像出力装置へ出力させる映像出力部と、映像出力装置が出力する映像コンテンツを視聴するユーザの視聴状態を示す視聴状態情報を取得する視聴状態取得部と、視聴状態情報に基づき、映像コンテンツをアップロードした映像保有者に対する報酬情報を生成する報酬情報生成部と、を備え、ワイヤレスヘッドホンは、ユーザの視聴状態情報を検出する検出部を備える。
【手続補正３】
【補正対象書類名】明細書
【補正対象項目名】００４７
【補正方法】変更
【補正の内容】
【００４７】
音声出力部５２０は、通信部５１０を介して編成枠管理装置１００から受信した音声データを、ユーザが聴取する音声に変換して出力する装置であり、Ｄ／Ａコンバータやスピーカ等により構成され、ユーザが耳を覆う位置に配置されている。このときの音声は微弱であり、装着するユーザには音声が聞こえるが、周囲の他の者には聞こえないようになっている。